(57)【要約】【課題】誤り訂正復号器の入出力信号の仕様として、エラー数出力はあるがエラーフラグ出力がない場合においても、方向調整者がエラーの少ない電波を受信する操作を容易化し、高品質の伝送を実現可能とする。【解決手段】送信装置と、伝送路復号化部を持つ受信装置によって構成されるディジタル伝送装置において、エラー数で示されるエラー発生状態をエラーフラグに変換するエラーフラグ変換器と、該エラーフラグ変換器から得られたエラーフラグを映像信号変換する映像変換部とを有する。【選択図】　　　図１
2004112404.tif 000002
【特許請求の範囲】
【請求項１】
送信装置と、伝送路復号化部を持つ受信装置によって構成されるディジタル伝送装置において、
エラー数で示されるエラー発生状態をエラーフラグに変換するエラーフラグ変換器と、該エラーフラグ変換器から得られたエラーフラグを映像信号変換する映像変換部とを有することを特徴とするデータ伝送装置。
【請求項２】
請求項１に記載のデータ伝送装置において、
エラー数に応じて、発生パルス量が変化するカウンタを用い、該カウンタ出力をエラーフラグとすることを特徴とするデータ伝送装置。
【発明の詳細な説明】
【０００１】
【発明の属する技術分野】
本発明は、ディジタル・データ伝送装置、得に、ＯＦＤＭ（Ｏｒｔｈｏｇｏｎａｌ　ＦｒｅｑｕｅｎｃｙＤｉｖｉｓｉｏｎ　Ｍｕｌｔｉｐｌｅｘ）変調方式を用いるデータ伝送装置に関する。
【０００２】
【従来の技術】
近年、移動体向けディジタル伝送においてハイビジョン伝送技術が確立しつつある。その変調方式の一例として、移動体向けディジタル伝送や、地上系ディジタルテレビジョン放送への応用に適しており、マルチパスフェージングやゴーストに強いという特徴のある直交周波数分割多重変調方式（Ｏｒｔｈｏｇｏｎａｌ　Ｆｒｅｑｕｅｎｃｙ
Ｄｉｖｉｓｉｏｎ　Ｍｕｌｔｉｐｌｅｘ：ＯＦＤＭ）を例に挙げる。
【０００３】
このＯＦＤＭ方式は、マルチキャリア変調方式の一種であって、互いに直交するｎ本（ｎは数十から数百程度か、それ以上）の搬送波にディジタル変調を施した伝送方式である。そして図１２に示すように、多数のディジタル変調波を加算し、Ｉ軸、Ｑ軸を直交変調して得られた変調信号を送信する。
【０００４】
上記の搬送波のディジタル変調方式としては、４相差動位相偏移変調方式（ＤＱＰＳＫ：Ｄｉｆｆｅｒｅｎｔｉａｌ　Ｑｕａｄｒａｔｕｒｅ　Ｐｈａｓｅ　Ｓｈｉｆｔ　Ｋｅｙｉｎｇ）が最もよく用いられるが、１６値直交振幅変調（１６ＱＡＭ：１６　Ｑｕａｄｒａｔｕｒｅ　Ａｍｐｌｉｔｕｄｅ　Ｍｏｄｕｌａｔｉｏｎ）や６４ＱＡＭなどの多値変調方式を用いることも可能である。
【０００５】
また、ＯＦＤＭシンボルは図１３に示すように、有効シンボルと、有効シンボルの一部を巡回的に付加したガードインターバルとから構成される。ＯＦＤＭ方式では、ガードインターバルを付加することにより、ガードインターバル期間内の遅延時間の遅延波に対しては、そのシンボル間干渉による劣化を避けることが出来るため、マルチパスフェージングに対して強い耐性を有している。
【０００６】
従来の技術を用いた伝送装置の構成例を図６に示す。従来の信号処理過程について説明する。まず送信機１では、外部の符号化器などからのＴＳ（Ｔｒａｎｓｐｏｒｔ　Ｓｔｒｅａｍ）形式の入力信号Ｄｉｎは、ＤＶＢ符号化処理部１−１においてＤＶＢ符号化処理され、変調部１−２においてＯＦＤＭ変調され出力される。受信機２Ａでは、送信機１から出力されたＯＦＤＭ信号を受信し、その受信された信号は復調部２−１においてＯＦＤＭ復調される。そして、その復調された信号はＤＶＢ復号化部２−２’においてＤＶＢ復号され、復号化された出力信号Ｄｏｕｔは外部の復号化器などへ出力される。
【０００７】
ここで、従来の技術のＤＶＢ符号化処理部１−１の構成を図９に示す。誤り訂正符号化部１−１−２では、例えば、Ｒｅｅｄ−Ｓｏｌｏｍｏｎ符号化を行う。次に、従来の技術のＤＶＢ復号化処理部２−２’の構成を図１０に示す。誤り訂正復号化部２−２−２’では、例えばＲｅｅｄ−Ｓｏｌｏｍｏｎ復号化を行う。それに伴い、誤り訂正によるエラーフラグ信号Ｓｅを出力する。
【０００８】
得られた誤り訂正復号化部２−２−２’のエラーフラグ出力信号Ｓｅは映像変換器３Ａへ入力され、ここで、映像信号に変換後出力される。このようにエラーフラグ出力信号Ｓｅが映像信号に変換することでは、エラーの発生状態を映像信号化したディジタル伝送することが実現でき、また、その映像信号をモニタ・ディスプレイで表示できるので、エラーの発生状態を瞬時に視覚的に得ることができ、より品質の高い方向調整作業を容易に実施できる。
【０００９】
次に、得られた映像信号をモニタに表示した場合の一例を図１１に示す。ここで、エラー数に応じ画像が変化する様子を示している。図１１の（Ａ）はランダムエラーが存在する場合、図１１の（Ｂ）はバーストエラーが存在する場合を示している。例えば、空中線伝送路を構成する伝送アンテナの方向調整作業をする場合、このようにエラーの発生状態を瞬時に視覚的に得ることで、より的確に調整することが可能である。
【００１０】
また、上述のように映像信号化したことで、その映像信号を表示する装置としても一般的なＶＩＤＥＯモニタを使用できるため、状況に応じて最適なサイズの表示が可能となる。なお、伝送状態を測定収集する際に、映像信号の形態に変換してあるためＶＨＳやベータカム等のＶＴＲに録画することで、大量のデータを容易かつ安価に記録できる。
【００１１】
ここで、誤り訂正復号化部２−２−２’を実際に構成する方法について説明する。近年、ハードウェア設計において、回路規模の増大、回路の複雑化、設計期間の短縮などの理由により、汎用性のある回路については所定のＩＰ（ＩｎｔｅｌｌｅｃｔｕａｌＰｒｏｐｅｒｔｙ）を購入し、設計作業を簡略化する場合がある。この所定のＩＰを他の回路と統合して用いることで、１つのＰＬＤ（Ｐｒｏｇｒａｍｍａｂｌｅ　Ｌｏｇｉｃ　Ｄｅｖｉｃｅ）にまとめることができるため、機器の小型化にも繋がる。しかし、ＩＰや使用デバイスの費用や仕様などとのトレードオフにより、設計者の要求する仕様（例えば入出力信号など）に合ったＩＰを必ずしも入手できるとは限らない。例えば、エラーフラグ出力が欲しいが、その出力がないなどの場合がある。また、所定の専用ＩＣを用いても同様となる場合がある。
【００１２】
【発明が解決しようとする課題】
以上説明した従来の構成において、所定のＩＰまたは専用ＩＣなどの入出力信号の仕様として、エラー数出力はあるがエラーフラグ出力のない誤り訂正復号化部を用いた場合、方向調整者が伝送状態を把握するためにエラー数を映像信号に変換し表示しても、伝送状態の良い方向を瞬時に判断できないことがある。しかし、エラーフラグ出力がないためエラーフラグを表示できず、方向調整作業に支障を来たし高品質の伝送が必ずしも実現できない欠点が生じ得る。
【００１３】
【課題を解決するための手段】
本発明では、誤り訂正復号化部のエラー数出力をエラーフラグに変換し、さらにそのエラーフラグを映像信号に変換して表示する。それによって方向調整者が瞬時にエラーの少ない電波を受信する操作を容易化し、品質の高い伝送を実現することを目的とする。
【００１４】
【発明の実施の形態】
誤り訂正復号化部としてＲｅｅｄ−Ｓｏｌｏｍｏｎ（以下、ＲＳ）復号器を用いた場合を例に説明する。ＲＳ符号では１ＴＳ単位、すなわち、２０４ｂｙｔｅを１単位とするＴＳ（Ｔｒａｎｓｐｏｒｔ　Ｓｔｒｅａｍ）ごとに誤り訂正を行う。そのためＲＳ符号化部では１ＴＳ毎にパリティを付加する。例えば、ＲＳ（２０４，１８８）符号の場合、１ＴＳつまり２０４ｂｙｔｅの内訳は、データ１８８　ｂｙｔｅ、パリティ１６　ｂｙｔｅであり、２０４ｂｙｔｅ中８　ｂｙｔｅまで誤り訂正が可能である。
【００１５】
ＲＳ復号器の具体的な例としてＡＬＴＥＲＡ社ＲＳデコーダＩＰ（以下、ＲＳ−ＤＥＣ−ＩＰ）を用いたＲＳ（２０４，１８８）符号の場合について説明する。ＲＳ−ＤＥＣ−ＩＰの誤り訂正に関する出力信号として、ＮＵＭＥＲＲ出力（誤り訂正したｂｙｔｅ数）とＤＥＣＦＡＩＬ出力（誤り訂正不可能フラグ）がある。ＮＵＭＥＲＲ出力は、１ＴＳ毎に更新される出力であり、１ＴＳ内で誤り訂正したｂｙｔｅ数０〜８を出力する。ＤＥＣＦＡＩＬ出力は、１ＴＳ毎に更新される出力であり、誤りｂｙｔｅ数が訂正不可能なｂｙｔｅ数、つまり９ｂｙｔｅ以上あることを示すフラグである。
【００１６】
このＲＳ−ＤＥＣ−ＩＰのように、エラーフラグ出力を持たない誤り訂正復号化部を用いた場合に、誤り訂正ｂｙｔｅ数に応じたエラーフラグを生成し映像信号に変換することで、モニタなどに表示する方法を以下に述べる。
【００１７】
本発明の全体構成の一例を図１に示す。送信機１、受信機２、映像変換部３から構成される。送信機１は従来の場合と同様、ＤＶＢ符号化部１−１と変調部１−２から構成される。受信機２は復調部２−１とＤＶＢ復号化部２−２とエラーフラグ変換器２−３から構成される。外部の符号化器などからの入力信号ＤｉｎはＤＶＢ符号化部１−１に接続される。ＤＶＢ符号化部１−１の出力信号は変調部１−２に接続される。変調部１−２の出力は復調部２−１に接続される。復調部２−１の出力信号はＤＶＢ復号化部２−２に接続される。ＤＶＢ復号化部２−２の出力信号Ｄｏｕｔは外部の復号化器などへ出力される。またＤＶＢ復号化部２−２の出力信号ＳＹＮＣ、ＮＵＭＥＲＲはエラーフラグ変換器２−３に接続される。エラーフラグ変換器２−３の出力信号Ｓｅは映像変換部３に入力される。映像変換部３の出力信号は外部のモニタなどに接続される。
【００１８】
従来の構成との相違点は、受信機２にエラーフラグ変換器２−３を設けた点である。エラーフラグ変換器２−３は、ＤＶＢ復号化部２−２の出力信号ＳＹＮＣ、ＮＵＭＥＲＲからエラーフラグを生成し、Ｓｅ信号として出力する。
【００１９】
ＤＶＢ復号化処理部２−２の構成の一例を図２に示す。入力信号は出インターリーブ部２−２−１に接続される。その出力は誤り訂正復号化部２−２−２に接続される。その出力はエネルギー逆拡散部２−２−３に接続される。
【００２０】
誤り訂正復号化部２−２−２の出力信号として、ＳＹＮＣ信号とＮＵＭＥＲＲ信号を出力する。エラーフラグ出力信号はない。
【００２１】
エラーフラグ変換器２−３の構成の一例を図３に示す。カウンタ２−３−１、Ｄフリップフロップ２−３−２、比較器２−３−３から構成される。ＳＹＮＣ信号はカウンタ２−３−１とＤフリップフロップ２−３−２に接続される。ＮＵＭＥＲＲ信号はＤフリップフロップ２−３−２に接続される。カウンタ２−３−１の出力信号ＣＮＴは比較器２−３−３に接続される。Ｄフリップフロップ２−３−２の出力信号ＤＦＦは比較器２−３−３に接続される。比較器２−３−３の出力信号Ｓｅはカウンタ２−３−１に接続される。
【００２２】
エラーフラグ変換器２−３においてエラー数ＮＵＭＥＲＲ信号をエラーフラグＳｅ信号に変換する。
【００２３】
ＳＹＮＣ信号はエラー数が出力されるタイミングを示す信号である。例えば１ＴＳ周期でＴＳの１ｂｙｔｅ目にＨレベル、その他の期間はＬレベルとなる。ＮＵＭＥＲＲ信号はエラー数を示す信号である。例えば、１ＴＳ中に発生したエラー数を示す。
【００２４】
ＳＹＮＣ信号はカウンタ２−３−１をリセットすると同時に、Ｄフリップフロップ２−３−２にＮＵＭＥＲＲ信号を記憶する。カウンタ２−３−１はＮＵＭＥＲＲ信号で示される数だけカウントを行う。カウンタ２−３−１の出力信号ＣＮＴとＤフリップフロップ２−３−２の出力信号ＤＦＦは比較器２−３−３で比較される。比較器２−３−３の出力信号ＳｅはＣＮＴ信号とＤＦＦ信号の大小関係を示すフラグである。例えば、ＣＮＴ＜ＤＦＦが成立する期間にＨレベル、その他の期間はＬレベルとなる。Ｓｅ信号をカウンタ２−３−１のイネーブルとすることにより、カウンタ２−３−１はＮＵＭＥＲＲ信号で示される数だけカウントを行うことができる。
【００２５】
エラーフラグ変換器２−３を、受信機２ではなく映像変換部３に用いた場合の全体構成の一例を図４に示す。送信機１と受信機２’と映像変換部３’から構成される。送信機１の構成は図１の場合と同様である。
【００２６】
外部の符号化器などからの入力信号Ｄｉｎは送信機１に接続される。送信機１の出力は復調部２−１に接続される。復調部２−１の出力信号はＤＶＢ復号化部２−２に接続される。ＤＶＢ復号化部２−２の出力信号Ｄｏｕｔは外部の復号化器などへ出力される。またＤＶＢ復号化部２−２の出力信号ＳＹＮＣ、ＮＵＭＥＲＲはエラーフラグ変換器付き映像変換部３’に接続される。エラーフラグ変換器付き映像変換部３’の出力信号は外部のモニタなどに接続される。
【００２７】
エラーフラグ変換器２−３を映像変換部３に用い、エラーフラグ変換器付き映像変換部３’としている。エラーフラグ変換器付き映像変換部３’において、エラー数ＮＵＭＥＲＲ信号をエラーフラグＳｅ信号に変換後、映像信号に変換する。
【００２８】
エラーフラグ変換器付き映像変換部３’の構成の一例を図５に示す。ＳＹＮＣ信号、ＮＵＭＥＲＲ信号はエラーフラグ変換器２−３に接続される。エラーフラグ変換器２−３の出力信号Ｓｅは映像変換部３Ａに接続される。
【００２９】
エラーフラグ変換器２−３の構成は前述した通りである。また、映像変換部３Ａの構成は従来の構成と同様である。エラーフラグ変換器付き映像変換部３’において、エラー数ＮＵＭＥＲＲ信号をエラーフラグＳｅ信号に変換後、映像信号に変換する。
【００３０】
【発明の効果】
以上説明したように本発明によれば、ＩＰまたは専用ＩＣなどの仕様としてエラー数出力はあるがエラーフラグ出力のない誤り訂正器を用いた場合においても、エラーの発生状態を映像信号化したディジタル伝送装置を実現でき、また、エラーの発生状態を瞬時に視覚的に得ることができ、より品質の高い方向調整作業を容易に実施できる。
【図面の簡単な説明】
【図１】本発明の全体構成の一例を示すブロック図。
【図２】本発明のＤＶＢ符号化処理部２−２の一例を示すブロック図。
【図３】本発明のエラーフラグ変換器２−３の一例を示すブロック図。
【図４】本発明の全体構成の一例を示すブロック図。
【図５】本発明のエラーフラグ変換器付き映像変換部３’の一例を示すブロック図。
【図６】従来の伝送装置の全体構成の一例を示すブロック図。
【図７】従来の映像変換部３Ａの一例を示すブロック図。
【図８】従来の色合成器３Ａ−３の一例を示すブロック図。
【図９】従来のＤＶＢ符号化処理部１−１の一例を示すブロック図。
【図１０】従来のＤＶＢ復号化処理部２−２’の一例を示すブロック図。
【図１１】従来の映像信号をモニタに表示した場合の一例を示す図。
【図１２】ＯＦＤＭ変調信号の様子を説明する図。
【図１３】ＯＦＤＭシンボル波形の様子を説明する図。
【符号の説明】
１：送信機、　２，２Ａ：受信機、　３：映像変換部、　１−１：ＤＶＢ符号化処理部、　１−２：変調部、　２−１：復調部、　２−２，２−２’：ＤＶＢ復号化処理部、　２−２−１：デインターリーブ部、　２−２−２，２−２−２’：誤り訂正復号化部、　２−２−３：エネルギー逆拡散部、　２−３：エラーフラグ変換器、　２−３−１：カウンタ、　２−３−２：Ｄフリップフロップ、　２−３−３：比較器、　２’：受信機、　３’：エラーフラグ変換器付き映像変換部、　３Ａ−１：映像同期信号発生器、　３Ａ−２：ゲート、　３Ａ−３：色合成器、　３Ａ−４：加算器、　３Ａ−３−１：色変換器、　３Ａ−３−２：加算器、　１−１−１：エネルギー拡散部、　１−１−２：誤り訂正符号化部、　１−１−３：インターリーブ部。
【図１】
2004112404.tif 000003
【図２】
2004112404.tif 000004
【図３】
2004112404.tif 000005
【図４】
2004112404.tif 000006
【図５】
2004112404.tif 000007
【図６】
2004112404.tif 000008
【図７】
2004112404.tif 000009
【図８】
2004112404.tif 000010
【図９】
2004112404.tif 000011
【図１０】
2004112404.tif 000012
【図１１】
2004112404.tif 000013
【図１２】
2004112404.tif 000014
【図１３】
2004112404.tif 000015